(57)【要約】      （修正有）【課題】ワンアクションで書類を取り出すことを可能としたファイルを提供する。【解決手段】このクリアファイル１００では、長穴５を通じて書類Ｄを指で挟んで上に移動し、その結果、書類Ｄが最大で長穴５の長さだけ移動してその端部が開口から出る。指はそのまま上方向に書類Ｄごと移動させると、長穴５の端部で指が上シート及び下シートの上に乗る。この状態だと、書類Ｄが上に移動しないので、一時的に移動が停止する。指をそのままスライドさせると、開口の端縁を過ぎたところで再び書類Ｄを指に挟むことができるようになり、そのまま引っ張ることで書類を透明袋１から取り出すことができる。【選択図】図４
0003194812.tif 000002
【実用新案登録請求の範囲】
【請求項１】
上辺に開口を有する透明または半透明の袋の側辺近傍に穴を設け、
当該穴の上下方向における上端と開口との間に橋部を形成し、
この橋部が上下方向で前記穴の長さより短いことを特徴とするファイル。
【請求項２】
前記橋部の上下方向の幅は、前記穴の長さの１／５以上１／２以下であることを特徴とする請求項１に記載のファイル。
【請求項３】
前記穴の上端は、袋の端縁から上下方向の長さの１／１２以内に位置することを特徴とする請求項１又は２に記載のファイル。
【請求項４】
前記袋の上下方向で且つ前記穴と略同じ位置にて第二の穴が形成され、前記穴と第二の穴との間に第二の橋部が形成されると共に、
当該第二の橋部は、第二の穴の長さの１／５以上１／２以下であることを特徴とする請求項１〜３のいずれか一つに記載のファイル。
【請求項５】
前記穴の位置は、開口から一番遠いところで４０ｍｍ以上６５ｍｍ以下とし、前記橋部の長さが５ｍｍ以上３０ｍｍ以下であることを特徴とする請求項１〜３のいずれか一つに記載のファイル。
【考案の詳細な説明】
【技術分野】
【０００１】
本考案は、書類を収納する透明又は半透明の袋からなるファイルに関するものである。
【背景技術】
【０００２】
従来から特許文献１に開示されているような穿孔クリアファイルが知られている。この穿孔クリアファイルは、ファイル表紙、透明中袋及び仕切中台紙から構成され、前記透明中袋を構成する透明の上下シートに抜き型により穴をあけた構造である。使用の際は、透明中袋に入れた書類を前記穴の位置にて指で挟み、当該書類を上に移動させ、透明中袋の上から出た当該書類を引き抜いて取り出す。
【先行技術文献】
【特許文献】
【０００３】
【特許文献１】特開２００２−１０３８６８号公報
【考案の概要】
【考案が解決しようとする課題】
【０００４】
しかしながら、上記従来の穿孔クリアファイルは、穴を通じて書類を指で挟んで取り出すものであるが、指で挟んだ書類を上方に移動し、それから上に出た書類を引き出すので、書類の取り出しに二つの動作が必要になるという問題点があった。本考案は、係る問題点を解決するためになされたものである。
【課題を解決するための手段】
【０００５】
本考案のファイルは、上辺に開口を有する透明または半透明の袋の側辺近傍に穴を設け、当該穴の上下方向における上端と開口との間に橋部を形成し、この橋部が上下方向で前記穴の長さより短いことを特徴とする。
【０００６】
前記橋部の上下方向の幅は、前記穴の長さの１／５以上１／２以下とするのが好ましい。また、前記穴の上端は、袋の端縁から上下方向の長さの１／１２以内に位置するようにするのが好ましい。
【０００７】
更に、前記袋の上下方向で且つ前記穴と略同じ位置にて第二の穴が形成され、前記穴と第二の穴との間に第二の橋部が形成されると共に、当該第二の橋部は、第二の穴の長さの１／５以上１／２以下とするのが好ましい。
【図面の簡単な説明】
【０００８】
【図１】本考案の実施の形態に係るクリアファイルを示す斜視図である。
【図２】図１に示したクリアファイルの透明袋の断面図である。
【図３】図１に示したクリアファイルの透明袋の拡大図である。
【図４】本考案のクリアファイルの使用方法を示す説明図である。
【図５】本発明の別の実施の形態に係るクリアファイルを示す説明図である。
【図６】本発明の別の実施の形態に係るクリアファイルを示す説明図である。
【図７】本発明の別の実施の形態に係るクリアファイルを示す説明図である。
【考案を実施するための形態】
【０００９】
図１は、本考案の実施の形態に係るクリアファイルを示す斜視図である。図２は、図１に示したクリアファイルの透明袋の断面図である。図３は、図１に示したクリアファイルの透明袋の拡大図である。このクリアファイル１００は、透明袋１を複数冊子状に綴じた構造である。各透明袋１は、上シート２及び下シート３を重ねて横辺１ｃ及び下辺１ａを接着し、且つ、上辺１ｂを開口４とした構成である。上シート２及び下シート３は、重ねた状態で、側辺近傍で且つ上辺近傍に長穴５が穿孔されている。即ち、上シート２及び下シート３の略同じ位置に長穴５が穿孔されている。また、この長穴５の上端は、上辺の近くに位置するものであり、長穴５と上辺１ｂとの間の架橋状態に残ったシート部分（橋部６という）は、幅が小さいものとなる。
【００１０】
橋部６の幅（シートの上下方向であり、開口４が設けられている方向）の決定は次のように行うものとする。まず、図４（ａ）に示すように、長穴５を通じて書類Ｄを指で挟んで上に移動し、その結果、書類Ｄが最大で長穴５の長さだけ移動してその端部が開口４から出る。指はそのまま上方向に書類Ｄごと移動させると、図４（ｂ）に示すように、長穴５の端部で指が上シート２及び下シート３の上に乗る。この状態だと、書類Ｄが上に移動しないので、一時的に移動が停止する。指をそのままスライドさせると、図４（ｃ）に示すように、開口４の端縁を過ぎたところで再び書類Ｄを指に挟むことができるようになり、そのまま引っ張ることで書類Ｄを透明袋１から取り出すことができる。
【００１１】
即ち、長穴５を通じて指で書類Ｄを挟んでそのまま引っ張ることで自然に橋部６を乗り越えて再び書類Ｄを挟んで引き抜くように、前記橋部６の幅を設定する。具体的には、橋部６の上下方向の幅Ｌは、前記長穴５の長さＬ２の１／５以上１／２以下とするのが好ましい。更に、標準的なＡ４サイズの書類Ｄを入れる透明袋１であれば、前記長穴５の上端（橋部６の長さ）は、透明袋１の上辺１ｂから上下方向の長さＬａの１／１２以内に位置するのが好ましい。
【００１２】
また、前記長穴５の長さは、書類Ｄが開口４から十分に出るだけの長さがあれば足りる。開口４から指で上シート２及び下シート３から挟んで摘まむような姿勢となるので、女性や子供の指の長さでも十分に長穴５の端から端までの距離だけ書類Ｄを移動できるような位置とする。好ましくは、長穴５の開口４の端縁から遠い端部が、当該開口４から４０ｍｍ以上６０ｍｍ以下とする。
【００１３】
前記橋部６の幅Ｌは、長穴５の長さＬ２より短いことが好ましく、具体的には５ｍｍ以上１５ｍｍ以下が好ましい。この程度であれば、指が一時的には橋部６に乗ったとしても自然に指が橋部６を乗り越えて再び書類Ｄを挟むことができる。このため、長穴５の開口４側の形状は指が自然に橋部６に乗るように、円弧形状または三角形状等が好ましい。特に、引っ張り力が加わることから角部がない弧形状が特に好ましい。また、橋部６を設けることで、長穴５を開口４まで貫通させた場合に比べて、透明袋１の上端縁の強度が保てる。特に透明袋１の厚さが薄い場合は折れ曲がったり或いは切れたりするが、本発明のように、橋部６を設けることによりこのような折れ曲がりや切れを防止できる。また、前記長穴５の透明袋１の幅方向の位置は、側辺近傍でなくても良い。例えば、幅方向の中央位置に設けても良い。また、別の観点から、長穴５の位置は、ファイルの大きさにかかわらず、開口４から一番遠いところで４０ｍｍ以上６５ｍｍ以下（Ｌ＋Ｌ２）とするのが好ましい。橋部６の長さが５ｍｍ以上３０ｍｍ以下が好ましい。例えば、Ｌ＝２５ｍｍ、Ｌ２＝３５ｍｍで製造したところ、ちょうど使いやすいことが判った。
【００１４】
以上のクリアファイル１００によれば、透明袋１に収納した書類Ｄをワンアクションで取り出すことが可能になる。
【００１５】
図５は、本発明の別の実施の形態に係るクリアファイルを示す説明図である。このように、長穴５の代わりに菱形の穴５１を用いても良い。要するに、指で上シート２と下シート３との両側から書類Ｄを挟んで当該書類Ｄを上方向に移動させ、一時的に指が橋部６に乗り、これを乗り越えれば書類Ｄを簡単に引き出すことが可能であり、よって様々な形の穴５１により橋部６を形成すれば良いのである。
【００１６】
更に、図６に示すように、長穴５を連続的に略直線上に側辺近傍に形成しても良い。この場合、長穴５と隣接する第二の長穴５１との間に橋部６１が形成される。例えば、上下方向の半分の位置から上方向に３個の長穴５，５１，５２を設け、長穴５と長穴５１との間に第二の橋部６１を形成する。この第二の橋部６１は、第二の長穴５１の長さの１／５以上１／２以下とするのが好ましい。また、長穴５１と長穴５２との間に第三の橋部６２を形成する。この第三の橋部６２は、第三の長穴５２の長さの１／５以上１／２以下とするのが好ましい。
【００１７】
この透明袋１に入っている書類Ｄを取り出す場合には、まず一番下の長穴５２を通じて指で書類Ｄを挟んで上に移動させる。そして、指が第三の橋部６２を乗り越え、再び書類Ｄを隣接する長穴５１において指で挟んで更に上に移動させる。続いて、指が前記橋部６１を乗り越え、再び書類Ｄを隣接する長穴５において指で挟んで更に上に移動させる。
【００１８】
最後に、長穴５と開口４との間の橋部６を指が乗り越えて開口４の先で書類Ｄを挟んで当該書類Ｄを抜き出す。これにより、透明袋１の中の書類Ｄを引き出しやすくなる。特に、小型の書類Ｄであって透明袋１よりも小さいサイズの書類Ｄを入れている場合、長穴５，５１，５２が上下方向に複数設けられていることで取り出し易くなる。
【００１９】
また、図７に示すように、長穴５の上側を半円形とし下側を先細り形状にした穴７１を用いても良い。このような形状にすることで、書類Ｄを入れる際に書類Ｄの端部が引っかかり難くなる。
【００２０】
なお、前記袋は、半透明でも良い。また、透明袋１を単独で用いるようにしても良いし、ルーズリーフ式のものとしてもよい（図示省略）。
【符号の説明】
【００２１】
１００  クリアファイル
１  透明袋
２  上シート
３  下シート
４  開口
５  長穴
６  橋部
【図１】
0003194812.tif 000003
【図２】
0003194812.tif 000004
【図３】
0003194812.tif 000005
【図４】
0003194812.tif 000006
【図５】
0003194812.tif 000007
【図６】
0003194812.tif 000008
【図７】
0003194812.tif 000009